(57)【特許請求の範囲】
【請求項１】
帯鋸刃の一側面を案内する固定インサートガイドを先端部に一体的に備えた固定インサートホルダを備え、前記固定インサートガイドに対向して帯鋸刃の他側面を案内する可動インサートガイドを先端部に備えた可動インサートホルダを、前記固定インサートホルダに回動可能に備えた帯鋸刃案内装置であって、前記固定インサートガイドの鋸刃ガイド面と前記可動インサートガイドの鋸刃ガイド面を平行に調節するために、前記固定インサートホルダに対して接近離反する方向へ前記可動インサートホルダを調節可能に備えていることを特徴とする帯鋸刃案内装置。
【請求項２】
請求項１に記載の帯鋸刃案内装置において、前記可動インサートホルダは、前記固定インサートホルダに備えたヒンジピンに回動自在に嵌合されており、前記可動インサートホルダが前記ヒンジピンに回動可能に嵌合した嵌合孔は長孔に形成してあり、かつ前記可動インサートガイドは前記可動インサートホルダに一体的に固定してあることを特徴とする帯鋸刃案内装置。
【請求項３】
請求項１又は２に記載の帯鋸刃案内装置において、前記帯鋸刃の走行方向に見て、前記可動インサートガイドの上流側又は下流側を、前記固定インサートガイドに対して接近離反する方向へ調節可能に備えていることを特徴とする帯鋸刃案内装置。
【発明の詳細な説明】
【技術分野】
【０００１】
本発明は、竪型帯鋸盤や横型帯鋸盤において帯鋸刃を挟持案内する帯鋸刃案内装置に係り、さらに詳細には、帯鋸刃を挟持案内する固定インサートガイドと可動インサートガイドとのそれぞれの鋸刃ガイド面を全面に亘って平行に調節することのできる帯鋸刃案内装置に関する。
【背景技術】
【０００２】
ワークの切断加工を行う帯鋸盤には、当該帯鋸盤に備えた帯鋸刃の歯先を、ワークに対して切込みを行う方向へ指向して移動自在に案内する帯鋸刃案内装置が備えられている。上記帯鋸刃案内装置は、帯鋸刃の一側面を案内する固定インサートガイドを先端部に一体的に備えた固定インサートホルダを備えている。また、前記固定インサートガイドに対向して帯鋸刃の他側面を案内する可動インサートガイドを先端部に備えた可動インサートホルダを、前記固定インサートホルダに回動（揺動）可能に備えている。そして、前記固定インサートガイドと可動インサートガイドとの間隔寸法を、帯鋸刃の厚さに対応して調節可能に備えている（例えば特許文献１参照）。
【先行技術文献】
【特許文献】
【０００３】
【特許文献１】特開２００３−３４０６４０号公報
【発明の概要】
【発明が解決しようとする課題】
【０００４】
前記特許文献１に記載の帯鋸刃案内装置の構成は、帯鋸刃の一側面を案内する固定インサートガイドを先端部に備えた固定インサートホルダと、前記固定インサートガイドに対向して帯鋸刃の他側面を案内する可動インサートガイドを先端部に備えた可動インサートホルダとを備え、前記可動インサートホルダの長手方向の中間部がヒンジピンを介して揺動（回動）可能に支持されている。そして、前記固定インサートガイドと可動インサートガイドによって帯鋸刃を挟持するように、前記可動インサートホルダの基端部側を押圧するインサートシリンダが前記固定インサートホルダの基部側に備えられている。
【０００５】
上記構成においては、前記インサートシリンダへ作動流体を供給し、前記固定インサートガイドと可動インサートガイドによって帯鋸刃を挟持した後に、前記インサートシリンダから作動流体を僅かに排出して、前記固定インサートガイドと可動インサートガイドによる帯鋸刃の挟持を僅かに緩める構成である。したがって、前記固定インサートガイドが帯鋸刃を案内する鋸刃ガイド面と可動インサートガイドが帯鋸刃を案内する鋸刃ガイド面との間隔寸法を、帯鋸刃の厚さに対応して調節できることとなり、好ましい構成である。
【０００６】
しかし、前記特許文献１に記載の構成においては、可動インサートホルダに対して、前記可動インサートガイドは球面座金を介して揺動可能に備えられている。したがって、固定インサートガイドの鋸刃ガイド面と可動インサートガイドの鋸刃ガイドの鋸刃ガイド面との間隔は全面に亘って常に等間隔に保持されているものではなく、帯鋸刃における歯先側と帯鋸刃の背部側との間隔寸法が異なるように、また帯鋸刃の走行方向に見て上流側と下流側との間隔寸法が異なるように、固定インサートガイドに対して可動インサートガイドが僅かに傾斜して、切曲りを生じることがある。よって、切曲りを抑制してより高精度にワークの切断を行う上において、さらなる改良が望まれている。
【課題を解決するための手段】
【０００７】
本発明は前述のごとき問題に鑑みてなされたもので、帯鋸刃の一側面を案内する固定インサートガイドを先端部に一体的に備えた固定インサートホルダを備え、前記固定インサートガイドに対向して帯鋸刃の他側面を案内する可動インサートガイドを先端部に備えた可動インサートホルダを、前記固定インサートホルダに回動可能に備えた帯鋸刃案内装置であって、前記固定インサートガイドの鋸刃ガイド面と前記可動インサートガイドの鋸刃ガイド面を平行に調節するために、前記固定インサートホルダに対して接近離反する方向へ前記可動インサートホルダを調節可能に備えていることを特徴とするものである。
【０００８】
また、前記帯鋸刃案内装置において、前記可動インサートホルダは、前記固定インサートホルダに備えたヒンジピンに回動自在に嵌合されており、前記可動インサートホルダが前記ヒンジピンに回動可能に嵌合した嵌合孔は長孔に形成してあり、かつ前記可動インサートガイドは前記可動インサートホルダに一体的に固定してあることを特徴とするものである。
【０００９】
また、前記帯鋸刃案内装置において、前記帯鋸刃の走行方向に見て、前記可動インサートガイドの上流側又は下流側を、前記固定インサートガイドに対して接近離反する方向へ調節可能に備えていることを特徴とするものである。
【発明の効果】
【００１０】
本発明によれば、固定インサートホルダに回動可能に備えた可動インサートホルダを、固定インサートガイドの鋸刃ガイド面と可動インサートガイドの鋸刃ガイド面とを平行に調節するために、固定インサートホルダに対して接近離反する方向へ位置調節可能に備えられている。したがって、可動インサートホルダが回動可能な構成であっても、前記固定インサートガイドの鋸刃ガイド面と可動インサートガイドの鋸刃ガイド面とを常に平行に調節することができ、帯鋸刃の切曲りを効果的に防止することができるものである。
【図面の簡単な説明】
【００１１】
【図１】本発明の実施形態に係る帯鋸刃案内装置の全体的構成を示す正面説明図である。
【図２】本発明の実施形態に係る帯鋸刃案内装置の構成を示す左側面図である。
【図３】図１におけるＡ−Ａ線に沿った断面説明図である。
【図４】図１におけるＢ−Ｂ線に沿った断面説明図である。
【図５】図１におけるＣ−Ｃ線に沿った断面説明図である。
【発明を実施するための形態】
【００１２】
正面説明図である図１を参照するに、本発明の実施形態に係る帯鋸刃案内装置１は、帯鋸盤（図示省略）における適宜固定部に固定した固定インサートホルダ３が備えられている。この固定インサートホルダ３の基端部５Ａは前後方向（図１において紙面に垂直な方向、図２において左右方向）に厚肉に形成してあり、この基端部５Ａからは帯鋸刃７の一側面に対応する位置に長く伸びたホルダアーム５Ｂ（図２参照）が一体に備えられている。そして、固定インサートホルダ３の一部としての前記ホルダアーム５Ｂの先端部には、前記帯鋸刃７の一側面を案内する固定インサートガイド９が一体的に備えられている。
【００１３】
前記固定インサートホルダ３の前記基端部５Ａと前記ホルダアーム５Ｂとの間の中間位置には、前記帯鋸刃７の背面に対応するように前方（図２、図３において右方）へ突出した前方突出部５Ｃが備えられている。そして、この前方突出部５Ｃには、前記帯鋸刃７の走行方向（図１において左右方向、図２、図３において紙面に垂直な方向）に平行にかつ回動可能に備えたヒンジピン１１を介して可動インサートホルダ１３の中間部が揺動（回動）可能に支持されている。この可動インサートホルダ１３の先端部には、前記固定インサートガイド９と対向して前記帯鋸刃７の他側面を案内する可動インサートガイド１５が取付ボルトなどのごとき固定具１６（図１参照）によって一体的に固定してある。
【００１４】
したがって、前記固定インサートガイド９が前記帯鋸刃７を案内する鋸刃ガイド面９Ａと、前記可動インサートガイド１５が前記帯鋸刃７を案内する鋸刃ガイド面１５Ａとを平行な状態に調節したときには、可動インサートホルダ１３に対して可動インサートガイド１５が揺動するようなことがなく、前記固定インサートガイド９の鋸刃ガイド面９Ａと前記可動インサートガイド１５の鋸刃ガイド面１５Ａは全面に亘って常に平行に保持されるものである。よって、前記固定インサートガイド９の鋸刃ガイド面９Ａと可動インサートガイド１５の鋸刃ガイド面１５Ａとによって挟持案内される帯鋸刃７の、図２、図３においての時計回り方向又は反時計回り方向への傾斜を規制することができ、ワークの切断加工時における切曲りを効果的に防止することができるものである。
【００１５】
前記固定インサートホルダ３の前記前方突出部５Ｃには、前記帯鋸刃７において、前記固定インサートガイド９と可動インサートガイド１５によって挟持案内される部分の背部を押さえるバックアップ部材の１例としてのバックアップローラ１７を回転自在に備えたバックアップホルダ１９が一体的に備えられている。また、前記固定インサートホルダ３には、前記帯鋸刃７を挟持案内する大小一対のガイドローラ２１Ａ，２１Ｂ（図５参照）における小ガイドローラ２１Ｂが前記固定インサートガイド９、可動インサートガイド１５に近接して回転自在に備えられている。
【００１６】
前記可動インサートホルダ１３が前後方向（図２〜図４において左右方向）へ揺動（回動）する構成であるにも拘らず、前記固定インサートガイド９の鋸刃ガイド面９Ａに対して前記可動インサートガイド１５の鋸刃ガイド面１５Ａを平行に調節するために、前記可動インサートホルダ１３は前後方向（固定インサートホルダ３のホルダアーム５Ｂに対して接近離反する方向）へ位置調節可能に備えられている。より詳細には、前記可動インサートホルダ１３が前記ヒンジピン１１と嵌合した嵌合孔２３は前後方向の長孔に形成してある。
【００１７】
そして、前記可動インサートホルダ１３を前後方向に調節するために、前記可動インサートホルダ１３には前後方向調節手段２５（図５参照）が備えられている。より詳細には、前記可動インサートホルダ１３が、前記ヒンジピン１１の両端付近に対応した位置には、前記ヒンジピン１１に形成した平面部２７を先端部でもって押圧するパイプ状の押圧ネジ２９が螺合してある。そして、このパイプ状の押圧ネジ２９を貫通した引きボルト３１の先端部が前記ヒンジピン１１に螺着してある。さらに、前記押圧ネジ２９の外周面にはロックナット３３が螺合してある。
【００１８】
上記構成により、引きボルト３１及びロックナット３３を緩めた状態に保持して、押圧ネジ２９を締め込むと、押圧ネジ２９がヒンジピン１１を押圧するので、可動インサートホルダ１３はヒンジピン１１に対して相対的に前方向（図４において右方向、図５において下方向）へ位置調節されることになる。逆に、前記ロックナット３３を緩めた状態において、押圧ネジ２９を緩める方向へ回転すると、前記押圧ネジ２９の緩め量に対応して前記ヒンジピン１１に対して可動インサートホルダ１３を相対的に後方向へ位置調節することができるものである。そして、引きボルト３１及びロックナット３３を締付けることにより、押圧ネジ２９を不動状態に可動インサートホルダ１３に固定することができるものである。
【００１９】
既に理解されるように、ヒンジピン１１に対して可動インサートホルダ１３を前後方向に調節することにより、前記固定インサートガイド９の鋸刃ガイド面９Ａに対する可動インサートガイド１５の鋸刃ガイド面１５Ａの前後方向の傾斜（図２、３、４において左右方向の傾斜）を調節することができるものである。すなわち、前記固定インサートガイド９の鋸刃ガイド面９Ａに対して可動インサートガイド１５の鋸刃ガイド面１５Ａを、図２、３、４においての上下方向を平行に調節することができるものである。
【００２０】
そして、図５における左右両側の前後方向調節手段２５を調節することにより、可動インサートガイド１５における鋸刃ガイド面１５Ａを、前記ヒンジピン１１の軸心と平行になるように調節することができるものである。したがって、可動インサートガイド１５における鋸刃ガイド面１５Ａの全面を、前記固定インサートガイド９の鋸刃ガイド面９Ａの全面に亘って平行に調節することができるものである。換言すれば、帯鋸刃７の走行方向（図５において左右方向）に見て、前記可動インサートガイド１５の上流側又は下流側を、固定インサートガイド９に対して接近離反する方向へ調節することができるものである。
【００２１】
よって、固定インサートガイド９の鋸刃ガイド面９Ａと可動インサートガイド１５の鋸刃ガイド面１５Ａとによって帯鋸刃７を挟持案内するとき、図２〜４においての時計回り方向、反時計回り方向への傾斜を防止することができると共に、図５においての上下方向への帯鋸刃７の傾斜を防止することができるものである。すなわち、帯鋸刃７によってワークの切断を行うとき、ワークに対する帯鋸刃７の切込み方向及び帯鋸刃７の走行方向に対して直交する方向への帯鋸刃７の傾斜及び同方向への帯鋸刃７の微小湾曲が効果的に防止されることとなり、ワークの切断加工をより高精度に行い得ることになるものである。
【００２２】
前記ヒンジピン１１を中心として、前記可動インサートホルダ１３を前後方向に揺動（回動）するために、前記固定インサートホルダ３における基端部５Ａには、流体圧シリンダなどのごとき押圧アクチュエータ３５（図３参照）が備えられている。そして、前記可動インサートホルダ１３には、先端部が前記押圧アクチュエータ３５に対応する位置まで伸びた連結アーム３７が複数のボルトなどのごとき固定具３９によって一体的に固定してある。そして、前記連結アーム３７の先端側には、前記押圧アクチュエータ３５に往復動自在に備えたピストンロッドなどのごとき押圧部材４０によって押圧される調節ネジなどのごとき調節部材４１が突出調節可能に備えられている。
【００２３】
前記押圧アクチュエータ３５による押圧が解除されたときに、前記可動インサートガイド１５を前記固定インサートガイド９から離反する方向へ移動するために、前記可動インサートホルダ１３及び連結アーム３７を前後方向へ移動自在に貫通した押圧ピン４３（図３参照）が備えられている。この押圧ピン４３の大径の頭部４３Ａは前記固定インサートホルダ３に備えた当接ピン４５に当接自在に備えられている。そして、前記押圧ピン４３の頭部４３Ａと前記連結アーム３７に形成した凹部３７Ａとの間にはコイルスプリングなどのごとき弾性部材４７が弾装してある。また、前記押圧ピン４３の先端部にはＥリングなどのごとき抜止め部材４９が備えられている。
【００２４】
前記構成により、押圧アクチュエータ３５の押圧部材４０を往復動することにより、可動インサートホルダ１３は、図３において、ヒンジピン１１を中心として左右方向に揺動されることになる。ここで、前記押圧部材４０をストロークエンドまで突出作動した状態にあるときに、前記押圧部材４０に当接した調節部材４１の突出量を調節することにより、固定インサートガイド９の鋸刃ガイド面９Ａと可動インサートガイド１５の鋸刃ガイド面１５Ａとの間隔を、帯鋸刃７の厚さに対応して適正間隔に調節することができるものである。
【００２５】
既に理解されるように、前記固定インサートガイド９及び可動インサートガイド１５におけるそれぞれの鋸刃ガイド面９Ａ，１５Ａを平行に、かつ帯鋸刃７の厚さに対応した適正間隔に調節することができるものである。したがって、前記固定インサートガイド９と可動インサートガイド１５による帯鋸刃７の挟持力が過大になることを防止することができると共に、帯鋸刃７の前後方向への傾斜や湾曲を抑制しての切曲りを防止することができるものである。
【００２６】
前記固定インサートガイド９と可動インサートガイド１５との間隔を調節するとき、前記ガイドローラ２１Ａ，２１Ｂの間隔も同時に調節できるように構成してある。すなわち、前記可動インサートホルダ１３には、前記ガイドローラ２１Ａを回転自在に支持した可動ブロック５１（図５参照）が、ボルト等のごとき固定具５３によって一体的に固定してある。したがって、前記固定インサートガイド９と可動インサートガイド１５の間隔を調節すると、両ガイドローラ２１Ａ，２１Ｂの間隔も同時に調節されるものである。
【００２７】
以上のごとき説明から理解されるように、固定インサートガイド９の鋸刃ガイド面９Ａの全面と可動インサートガイド１５の鋸刃ガイド面１５Ａの全面とを平行に調節することができると共に、帯鋸刃７の厚さに対応して前記両鋸刃ガイド面９Ａ，１５Ａの間隔を適正間隔に調節することができるものである。したがって、帯鋸刃７によるワークの切断加工時における切曲りを効果的に防止することができ、より高精度の切断加工を行うことができるものである。
【符号の説明】
【００２８】
１    帯鋸刃案内装置
３    固定インサートホルダ
７    帯鋸刃
９    固定インサートガイド
９Ａ    鋸刃ガイド面
１１    ヒンジピン
１３    可動インサートホルダ
１５    可動インサートガイド
１５Ａ    鋸刃ガイド面
２３    嵌合孔
２９    押圧ネジ
３１    引きボルト
３３    ロックナット
３５    押圧アクチュエータ
３９    押圧部材
４１    調節部材
【図１】
0005879195.tif 000002
【図２】
0005879195.tif 000003
【図３】
0005879195.tif 000004
【図４】
0005879195.tif 000005
【図５】
0005879195.tif 000006